【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
第１開口部から入射した光を電荷に変換する第１光電変換部と、
前記第１開口部より開口面積が小さい第２開口部から入射した光を電荷に変換する第２光電変換部と、
前記第２光電変換部に対して前記第２開口部からの光が入射する側とは反対側に形成され、前記第１光電変換部で変換された電荷により生成された信号と、前記第２光電変換部で変換された電荷により生成された信号と、を出力する信号出力線と、
を備える撮像素子。
【請求項２】
前記第２光電変換部は、前記第２開口部と前記信号出力線との間に形成されている請求項１に記載の撮像素子。
【請求項３】
第１開口部から入射した光を電荷に変換する第１光電変換部と、
前記第１開口部より開口面積が小さい第２開口部から入射した光を電荷に変換する第２光電変換部と、
前記第１光電変換部で変換された電荷により生成された信号と、前記第２光電変換部で変換された電荷により生成された信号と、を出力する信号出力線と、を備え、
前記第２光電変換部は、前記第２開口部と前記信号出力線との間に形成されている撮像素子。
【請求項４】
前記第１光電変換部で変換された電荷により生成された信号を前記信号出力線に読み出す読出部と、
前記第２光電変換部に対して前記第２開口部からの光が入射する側とは反対側に形成され、前記読出部の制御に用いる信号を供給する制御線と、
を備える請求項１から請求項３のいずれか一項に記載の撮像素子。
【請求項５】
前記第２光電変換部は、前記第２開口部と前記制御線との間に形成されている請求項４に記載の撮像素子。
【請求項６】
前記第１光電変換部で変換された電荷により生成された信号を前記信号出力線に読み出す読出部と、
前記読出部の制御に用いる信号を供給する制御線と、を備え、
前記第２光電変換部は、前記第２開口部と前記制御線との間に形成されている請求項１から請求項３のいずれか一項に記載の撮像素子。
【請求項７】
前記信号出力線は、前記第２光電変換部と前記制御線との間に形成されている請求項４から請求項６のいずれか一項に記載の撮像素子。
【請求項８】
前記読出部は、前記第１光電変換部で変換された電荷を転送する転送部を含み、
前記制御線は、前記転送部の制御に用いる信号を供給する配線を含む請求項４から請求項７のいずれか一項に記載の撮像素子。
【請求項９】
前記読出部は、電荷を電圧に変換する電荷電圧変換部と、前記電荷電圧変換部の電荷を排出する排出部と、を含み、
前記制御線は、前記排出部の制御に用いる信号を供給する配線を含む請求項４から請求項８のいずれか一項に記載の撮像素子。
【請求項１０】
前記読出部は、前記第１光電変換部で変換された電荷を転送する転送部と、電荷を電圧に変換する電荷電圧変換部と、前記電荷電圧変換部の電荷を排出する排出部と、を含み、
前記制御線は、転送部の制御に用いる信号を供給する配線と、前記排出部の制御に用いる信号を供給する配線と、を含み、
前記排出部の制御に用いる信号を供給する配線は、前記第２光電変換部と前記転送部の制御に用いる信号を供給する配線との間に形成されている請求項４から請求項７のいずれか一項に記載の撮像素子。
【請求項１１】
前記第２開口部を有する遮光膜を備え、
前記第２光電変換部は、前記遮光膜と前記信号出力線との間に形成されている請求項１から請求項１０のいずれか一項に記載の撮像素子。
【請求項１２】
前記第２開口部を有する遮光膜を備え、
前記第２光電変換部は、前記遮光膜と前記制御線との間に形成されている請求項４から請求項１０のいずれか一項に記載の撮像素子。
【請求項１３】
光を集光させる集光部を備え、
前記遮光膜は、前記集光部と前記第２光電変換部との間に形成されている請求項１１又は請求項１２に記載の撮像素子。
【請求項１４】
前記集光部と前記第２光電変換部との間に樹脂膜を備え、
前記遮光膜は、前記樹脂膜と前記第２光電変換部との間に形成されている請求項１３に記載の撮像素子。
【請求項１５】
第１開口部から入射した光を電荷に変換する第１光電変換部と、
前記第１光電変換部で変換された電荷により生成された信号を読み出す読出部と、
前記第１開口部より開口面積が小さい第２開口部から入射した光を電荷に変換する第２光電変換部と、
前記第２光電変換部に対して前記第２開口部からの光が入射する側とは反対側に形成され、前記読出部の制御に用いる信号を供給する制御線と、
を備える撮像素子。
【請求項１６】
前記第２光電変換部は、前記第２開口部と前記制御線との間に形成されている請求項１５に記載の撮像素子。
【請求項１７】
第１開口部から入射した光を電荷に変換する第１光電変換部と、
前記第１光電変換部で変換された電荷により生成された信号を読み出す読出部と、
前記読出部の制御に用いる信号を供給する制御線と、
前記第１開口部より開口面積が小さい第２開口部から入射した光を電荷に変換する第２光電変換部と、を備え、
前記第２光電変換部は、前記第２開口部と前記制御線との間に形成されている撮像素子。
【請求項１８】
前記読出部は、前記第１光電変換部で変換された電荷を転送する転送部を含み、
前記制御線は、前記転送部の制御に用いる信号を供給する配線を含む請求項１５から請求項１７のいずれか一項に記載の撮像素子。
【請求項１９】
前記読出部は、電荷を電圧に変換する電荷電圧変換部と、前記電荷電圧変換部の電荷を排出する排出部と、を含み、
前記制御線は、前記排出部の制御に用いる信号を供給する配線を含む請求項１５から請求項１８のいずれか一項に記載の撮像素子。
【請求項２０】
前記読出部は、前記第１光電変換部で変換された電荷を転送する転送部と、電荷を電圧に変換する電荷電圧変換部と、前記電荷電圧変換部の電荷を排出する排出部と、を含み、
前記制御線は、転送部の制御に用いる信号を供給する配線と、前記排出部の制御に用いる信号を供給する配線と、を含み、
前記排出部の制御に用いる信号を供給する配線は、前記第２光電変換部と前記転送部の制御に用いる信号を供給する配線との間に形成されている請求項１５から請求項１７のいずれか一項に記載の撮像素子。
【請求項２１】
前記第２光電変換部に対して前記第２開口部からの光が入射する側とは反対側に形成され、前記第１光電変換部で変換された電荷により生成された信号と、前記第２光電変換部で変換された電荷により生成された信号と、を出力する信号出力線を備える請求項１５から請求項２０のいずれか一項に記載の撮像素子。
【請求項２２】
前記第２光電変換部は、前記第２開口部と前記信号出力線との間に形成されている請求項２１に記載の撮像素子。
【請求項２３】
前記第１光電変換部で変換された電荷により生成された信号と、前記第２光電変換部で変換された電荷により生成された信号と、を出力する信号出力線を備え、
前記第２光電変換部は、前記第２開口部と前記信号出力線との間に形成されている請求項１５から請求項２０のいずれか一項に記載の撮像素子。
【請求項２４】
前記信号出力線は、前記第２光電変換部と前記制御線との間に形成されている請求項２１から請求項２３のいずれか一項に記載の撮像素子。
【請求項２５】
前記第２開口部を有する遮光膜を備え、
前記第２光電変換部は、前記遮光膜と前記制御線との間に形成されている請求項１５から請求項２４のいずれか一項に記載の撮像素子。
【請求項２６】
前記第２開口部を有する遮光膜を備え、
前記第２光電変換部は、前記遮光膜と前記信号出力線との間に形成されている請求項２１から請求項２４のいずれか一項に記載の撮像素子。
【請求項２７】
光を集光させる集光部を備え、
前記遮光膜は、前記集光部と前記第２光電変換部との間に形成されている請求項２５又は請求項２６に記載の撮像素子。
【請求項２８】
前記集光部と前記第２光電変換部との間に樹脂膜を備え、
前記遮光膜は、前記樹脂膜と前記第２光電変換部との間に形成されている請求項２７に記載の撮像素子。
【請求項２９】
請求項１から請求項２８のいずれか一項に記載の前記撮像素子と、
前記撮像素子から出力された前記第２光電変換部で変換された電荷により生成された信号を用いて、前記撮像素子に光を射出するレンズの駆動量を演算する第１制御部と、
を備える撮像装置。
【請求項３０】
請求項１から請求項２８のいずれか一項に記載の前記撮像素子と、
前記撮像素子に光を射出するレンズと、
前記撮像素子から出力された前記第２光電変換部で変換された電荷により生成された信号を用いて、前記レンズの駆動量を演算する第１制御部と、
を備える撮像装置。
【請求項３１】
前記撮像素子から出力された前記第１光電変換部で変換された電荷により生成された信号を用いて、画像信号を生成する第２制御部を備える請求項２９又は請求項３０に記載の撮像装置。
【請求項３２】
前記第２制御部は、前記画像信号による画像を表示部に表示させる請求項３１に記載の撮像装置。
【請求項３３】
前記第２制御部は、前記画像信号を記録媒体に記録する請求項３１又は請求項３２に記載の撮像装置。
【請求項３４】
請求項１から請求項２８のいずれか一項に記載の前記撮像素子と、
前記撮像素子から出力された前記第１光電変換部で変換された電荷により生成された信号を用いて、画像信号を生成する第２制御部と、
を備える撮像装置。
【請求項３５】
前記第２制御部は、前記画像信号による画像を表示部に表示させる請求項３４に記載の撮像装置。
【請求項３６】
前記第２制御部は、前記画像信号を記録媒体に記録する請求項３４又は請求項３５に記載の撮像装置。
【手続補正２】
【補正対象書類名】明細書
【補正対象項目名】０００５
【補正方法】変更
【補正の内容】
【０００５】
請求項１に記載の撮像素子は、第１開口部から入射した光を電荷に変換する第１光電変換部と、前記第１開口部より開口面積が小さい第２開口部から入射した光を電荷に変換する第２光電変換部と、前記第２光電変換部に対して前記第２開口部からの光が入射する側とは反対側に形成され、前記第１光電変換部で変換された電荷により生成された信号と、前記第２光電変換部で変換された電荷により生成された信号と、を出力する信号出力線と、を備える。
請求項３に記載の撮像素子は、第１開口部から入射した光を電荷に変換する第１光電変換部と、前記第１開口部より開口面積が小さい第２開口部から入射した光を電荷に変換する第２光電変換部と、前記第１光電変換部で変換された電荷により生成された信号と、前記第２光電変換部で変換された電荷により生成された信号と、を出力する信号出力線と、を備え、前記第２光電変換部は、前記第２開口部と前記信号出力線との間に形成されている。
請求項１５に記載の撮像素子は、第１開口部から入射した光を電荷に変換する第１光電変換部と、前記第１光電変換部で変換された電荷により生成された信号を読み出す読出部と、前記第１開口部より開口面積が小さい第２開口部から入射した光を電荷に変換する第２光電変換部と、前記第２光電変換部に対して前記第２開口部からの光が入射する側とは反対側に形成され、前記読出部の制御に用いる信号を供給する制御線と、を備える。
請求項１７に記載の撮像素子は、第１開口部から入射した光を電荷に変換する第１光電変換部と、前記第１光電変換部で変換された電荷により生成された信号を読み出す読出部と、前記読出部の制御に用いる信号を供給する制御線と、前記第１開口部より開口面積が小さい第２開口部から入射した光を電荷に変換する第２光電変換部と、を備え、前記第２光電変換部は、前記第２開口部と前記制御線との間に形成されている。
請求項２９に記載の撮像装置は、請求項１から請求項２８のいずれか一項に記載の前記撮像素子と、前記撮像素子から出力された前記第２光電変換部で変換された電荷により生成された信号を用いて、前記撮像素子に光を射出するレンズの駆動量を演算する第１制御部と、を備える。
請求項３０に記載の撮像装置は、請求項１から請求項２８のいずれか一項に記載の前記撮像素子と、前記撮像素子に光を射出するレンズと、前記撮像素子から出力された前記第２光電変換部で変換された電荷により生成された信号を用いて、前記レンズの駆動量を演算する第１制御部と、を備える。
請求項３４に記載の撮像装置は、請求項１から請求項２８のいずれか一項に記載の前記撮像素子と、前記撮像素子から出力された前記第１光電変換部で変換された電荷により生成された信号を用いて、画像信号を生成する第２制御部と、を備える。
【手続補正３】
【補正対象書類名】図面
【補正対象項目名】図１０
【補正方法】変更
【補正の内容】
【図１０】
2015057862.tif 000001